(57)【要約】【課題】高速秒時に於いても露光ムラが発生することのないカメラシステム及びカメラのフォーカルプレーンシャッタ装置を提供することである。【解決手段】シャッタユニット２１内のフォーカルプレーンシャッタ５６は、先幕２５ａ及び後幕２５ｂを駆動するための静電アクチュエータ５７を内蔵する。そして、パルス発生回路５４から第１の周期の第１のパルス信号を出力すると、この第１のパルス信号に基づいて、駆動回路５５にて、第１の周期よりも長い第２の周期の第２のパルス信号を生成し、該第２のパルス信号を静電アクチュエータ５７の駆動信号としてフォーカルプレーンシャッタ５６に供給する。一方、上記第１のパルス信号に基づいて、出力回路５８にて、上記第２の周期より短い第３の周期の第３のパルス信号を生成し、該第３のパルス信号をフラット発光時のタイミング信号としてストロボ装置６０に供給する。【選択図】      図８
2006023357.tif 000002
【特許請求の範囲】
【請求項１】
フラット発光可能なストロボ装置と、
先幕及び後幕を駆動するための静電アクチュエータを内蔵するフォーカルプレーンシャッタ機構と、
第１の周期を有する第１のパルス信号を出力するパルス発生手段と、
上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、
上記第１のパルス信号に基づいて、上記第２の周期よりも短い第３の周期を有する第３のパルス信号を生成し、該第３のパルス信号を上記フラット発光時のタイミング信号として上記ストロボ装置に供給する出力手段と、
を具備することを特徴とするカメラシステム。
【請求項２】
先幕及び後幕を駆動するための静電アクチュエータを内蔵するフォーカルプレーンシャッタ機構と、
第１の周期を有する第１のパルス信号を出力するパルス発生手段と、
上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、
上記第１のパルス信号に基づいて、上記第２の周期よりも短い第３の周期を有する第３のパルス信号を生成し、該第３のパルス信号を外部に出力する出力手段と、
を具備することを特徴とするカメラシステム。
【請求項３】
上記第２の周期は上記第３の周期の２倍以上であることを特徴とする請求項１及び２の何れか１に記載のカメラシステム。
【請求項４】
先幕及び後幕を駆動するための静電アクチュエータと、
第１の周期を有する第１のパルス信号を出力するパルス発生手段と、
上記第１のパルス信号に基づいて、該第１の周期よりも長い第２の周期を有する第２のパルス信号を生成し、該第２のパルス信号を上記静電アクチュエータに供給する駆動手段と、
上記第１のパルス信号に基づいて、上記第２の周期よりも短い第３の周期を有する第３のパルス信号を生成し、該第３のパルス信号を出力する出力手段と、
を具備することを特徴とするフォーカルプレーンシャッタ装置。
【請求項５】
上記第２の周期は上記第３の周期の２倍以上であることを特徴とする請求項４に記載のフォーカルプレーンシャッタ装置。
【請求項６】
フラット発光可能なストロボ装置と、
エレクトレット化された部位を有する先幕及び後幕を静電駆動するための静電アクチュエータを内蔵するフォーカルプレーンシャッタ機構と、
第１の周期を有する第１のパルス信号を出力するパルス発生手段と、
上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、
上記第１のパルス信号に基づいて、上記第２の周期よりも短い第３の周期を有する第３のパルス信号を生成し、該第３のパルス信号を上記フラット発光時のタイミング信号として上記ストロボ装置に供給する出力手段と、
を具備することを特徴とするカメラシステム。
【請求項７】
エレクトレット化された部位を有する先幕及び後幕を静電駆動するための静電アクチュエータを内蔵するフォーカルプレーンシャッタ機構と、
第１の周期を有する第１のパルス信号を出力するパルス発生手段と、
上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、
上記第１のパルス信号に基づいて、上記第２の周期よりも短い第３の周期を有する第３のパルス信号を生成し、該第３のパルス信号を外部に出力する出力手段と、
を具備することを特徴とするカメラシステム。
【請求項８】
上記第２の周期は上記第３の周期の２倍以上であることを特徴とする請求項６及び７の何れか１に記載のカメラシステム。
【請求項９】
エレクトレット化された部位を有する先幕及び後幕を静電駆動するための静電アクチュエータと、
第１の周期を有する第１のパルス信号を出力するパルス発生手段と、
上記第１のパルス信号に基づいて、該第１の周期よりも長い第２の周期を有する第２のパルス信号を生成し、該第２のパルス信号を上記静電アクチュエータに供給する駆動手段と、
上記第１のパルス信号に基づいて、上記第２の周期よりも短い第３の周期を有する第３のパルス信号を生成し、該第３のパルス信号を出力する出力手段と、
を具備することを特徴とするフォーカルプレーンシャッタ装置。
【請求項１０】
上記第２の周期は上記第３の周期の２倍以上であることを特徴とする請求項９に記載のフォーカルプレーンシャッタ装置。
【発明の詳細な説明】
【技術分野】
【０００１】
本発明は、一眼レフカメラ等を有するカメラシステム及びフォーカルプレーンシャッタ装置に関するものである。
【背景技術】
【０００２】
一般に、フォーカルプレーンシャッタは、シャッタ先幕とシャッタ後幕とで形成されるスリットの幅を調整することによって、撮像面に適切な光量を与えるようにしたシャッタ機構である。近年は、高速化のために、シャッタ先幕及び後幕を、より軽量な複数枚の金属羽で形成し、それぞれをバネ力で走行させるものが一般的である。
【０００３】
また、フォーカルプレーンシャッタを有するカメラにてストロボ撮影を行う際に、スリットの走行に同期して微小発光を繰り返すようにした、いわゆるフラット発光という技術が知られている（例えば、特許文献１参照）。このフラット発光とは、ストロボを小刻みに発光させることによって発光波形をフラットにし、スリット露光時でもストロボ撮影を可能とした発光形態である。
【特許文献１】特開平６−３０２３８９号公報
【発明の開示】
【発明が解決しようとする課題】
【０００４】
しかしながら、シャッタ先幕と後幕をバネ力で駆動する形式のフォーカルプレーンシャッタの場合、バネ力の時間的変動、周囲との摩擦、或いは慣性力等の様々な影響を受けるため、先幕及び後幕は一定速度で走行することができないものとなる。従って、スリット幅の狭い高速シャッタ秒時に於いては、上述したフラット発光を行うと、画面内で露光量にムラが出るという課題が生じることがあった。
【０００５】
本発明は、上記実情に鑑みてなされたものであり、高速秒時に於いても撮影した画像に露光ムラが発生することのないカメラシステム及びカメラのフォーカルプレーンシャッタ装置を提供することを目的とする。
【課題を解決するための手段】
【０００６】
すなわち、請求項１に記載の発明は、フラット発光可能なストロボ装置と、先幕及び後幕を駆動するための静電アクチュエータを内蔵するフォーカルプレーンシャッタ機構と、第１の周期を有する第１のパルス信号を出力するパルス発生手段と、上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、上記第１のパルス信号に基づいて、上記第２の周期よりも短い第３の周期を有する第３のパルス信号を生成し、該第３のパルス信号を上記フラット発光時のタイミング信号として上記ストロボ装置に供給する出力手段と、を具備することを特徴とする。
【０００７】
請求項２に記載の発明は、先幕及び後幕を駆動するための静電アクチュエータを内蔵するフォーカルプレーンシャッタ機構と、第１の周期を有する第１のパルス信号を出力するパルス発生手段と、上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、上記第１のパルス信号に基づいて、上記第２の周期よりも短い第３の周期を有する第３のパルス信号を生成し、該第３のパルス信号を外部に出力する出力手段と、を具備することを特徴とする。
【０００８】
請求項３に記載の発明は、請求項１及び２の何れか１に記載の発明に於いて、上記第２の周期は上記第３の周期の２倍以上であることを特徴とする。
【０００９】
請求項４に記載の発明は、幕及び後幕を駆動するための静電アクチュエータと、第１の周期を有する第１のパルス信号を出力するパルス発生手段と、上記第１のパルス信号に基づいて、該第１の周期よりも長い第２の周期を有する第２のパルス信号を生成し、該第２のパルス信号を上記静電アクチュエータに供給する駆動手段と、上記第１のパルス信号に基づいて、上記第２の周期よりも短い第３の周期を有する第３のパルス信号を生成し、該第３のパルス信号を出力する出力手段と、を具備することを特徴とする。
【００１０】
請求項５に記載の発明は、請求項４に記載の発明に於いて、上記第２の周期は上記第３の周期の２倍以上であることを特徴とする。
【００１１】
請求項６に記載の発明は、フラット発光可能なストロボ装置と、エレクトレット化された部位を有する先幕及び後幕を静電駆動するための静電アクチュエータを内蔵するフォーカルプレーンシャッタ機構と、第１の周期を有する第１のパルス信号を出力するパルス発生手段と、上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、上記第１のパルス信号に基づいて、上記第２の周期よりも短い第３の周期を有する第３のパルス信号を生成し、該第３のパルス信号を上記フラット発光時のタイミング信号として上記ストロボ装置に供給する出力手段と、を具備することを特徴とする。
【００１２】
請求項７に記載の発明は、エレクトレット化された部位を有する先幕及び後幕を静電駆動するための静電アクチュエータを内蔵するフォーカルプレーンシャッタ機構と、第１の周期を有する第１のパルス信号を出力するパルス発生手段と、上記第１のパルス信号に基づいて、該第１の周期よりも長い第２の周期を有する第２のパルス信号を生成し、該第２のパルス信号を上記静電アクチュエータの駆動信号として上記フォーカルプレーンシャッタ機構に供給する駆動手段と、上記第１のパルス信号に基づいて、上記第２の周期よりも短い第３の周期を有する第３のパルス信号を生成し、該第３のパルス信号を外部に出力する出力手段と、を具備することを特徴とする。
【００１３】
請求項８に記載の発明は、請求項６及び７の何れか１に記載の発明に於いて、上記第２の周期は上記第３の周期の２倍以上であることを特徴とする。
【００１４】
請求項９に記載の発明は、エレクトレット化された部位を有する先幕及び後幕を静電駆動するための静電アクチュエータと、第１の周期を有する第１のパルス信号を出力するパルス発生手段と、上記第１のパルス信号に基づいて、該第１の周期よりも長い第２の周期を有する第２のパルス信号を生成し、該第２のパルス信号を上記静電アクチュエータに供給する駆動手段と、上記第１のパルス信号に基づいて、上記第２の周期よりも短い第３の周期を有する第３のパルス信号を生成し、該第３のパルス信号を出力する出力手段と、を具備することを特徴とする。
【００１５】
請求項１０に記載の発明は、請求項９に記載の発明に於いて、上記第２の周期は上記第３の周期の２倍以上であることを特徴とする。
【発明の効果】
【００１６】
本発明によれば、高速秒時に於いても露光ムラが発生することのないカメラシステム及びカメラのフォーカルプレーンシャッタ装置を提供することができる。
【発明を実施するための最良の形態】
【００１７】
以下、図面を参照して、本発明の実施形態を説明する。
【００１８】
はじめに、本発明に係る静電シャッタ装置の駆動原理について、図１及び図２を参照して説明する。
【００１９】
本シャッタ装置は、基本的に固定子１と移動子２とを備えており、移動子２は固定子１に対して図１（ａ）及び（ｂ）に於いて左右方向に移動自在に構成されている。そして、固定子１には、被写体からの光像を撮像素子（図示せず）に導くための開口部３が設けられている。更に、この固定子１には、上記移動子２の移動方向と直交する方向に、帯状の複数の延出された駆動電極４が所定の間隔で並設されている。
【００２０】
上記移動子２は、後述する永久分極された、延出された誘導体（以下、エレクトレットと称する）５の部位を複数備えている。
【００２１】
このような構成に於いて、駆動電極４に周波電圧を印加すると、駆動電極４と上述したエレクトレットとの間に吸引力若しくは反発力が発生し、結果的に移動子２が固定子１に対して相対移動する。したがって、移動子２が固定子１の開口部３を、開放若しくは遮蔽するように移動可能にしておけば、これによってシャッタ装置を構成することができる。
【００２２】
図１（ａ）はシャッタが開の状態を示し、図１（ｂ）はシャッタが閉の状態を示している。尚、固定子１に開口部３は必ずしも必要なものではなく、固定子１を透過部材として、図１（ａ）に示されるように、駆動電極４が設けられていない領域、すなわち、透過領域を形成しても良い。以下、被写体光束が通過するこのような領域を便宜的に開口部と称する。また、本構成に係るシャッタ装置を、エレクトレットシャッタと称するものとする。
【００２３】
図２は、こうしたエレクトレットシャッタの断面を模式的に示すと共に該エレクトレットシャッタの駆動回路を示した図である。
【００２４】
エレクトレットシャッタ７に於いて、固定子１に並設されたそれぞれの駆動電極４には、駆動回路１０からの電圧信号線が接続されている。これらの電圧信号線には、４相の電圧信号が印加されるようになっており、従って、駆動電極４には、４本毎に同一の電圧信号が印加される。図２では、駆動電極４にＡ、Ｂ、Ｃ、Ｄの符号を付してこの電圧信号を区別している。
【００２５】
移動子２には、固定子１との対向面に永久分極された誘導体（エレクトレット）５を複数備えている。
【００２６】
尚、この図は、あくまでも模式図であり、実際のエレクトレットシャッタに於ける電極やエレクトレット化部位の数や配置間隔は、シャッタの大きさ、開口部の面積、エレクトレット化部位の極性、その配置形態、シャッタ装置として要求される駆動分解能、シャッタ最高速度等の様々な要因によって適宜決定されるものである。また、このエレクトレットシャッタの場合、正負の極性を有するエレクトレット化部位が交互に配置されたタイプであるが、何れか一方の極性だけでも実現可能である。
【００２７】
図２の左側には、上述したエレクトレットシャッタ７の構成と共に、エレクトレットシャッタ７に印加する電圧信号を発生するための駆動回路（駆動制御手段）１０の構成が示されている。
【００２８】
パルス発生回路１２で生成した矩形波列（駆動パルス信号）は、位相器１３及び昇圧回路１４に供給される。昇圧回路１４では、入力された矩形波列が１００Ｖ程度まで昇圧されると共に、２つの極性を有する電圧信号に分岐されて、駆動電極４Ａ及び４Ｃに供給される。一方、位相器１３に入力された矩形波列は、９０°位相が遅れた波形となり、その後、昇圧回路１４に入力されて、上述と同様の２つの矩形波列となり、駆動電極４Ｂ及び４Ｄに供給される。
【００２９】
図３は、上記駆動回路１０によって作成されて、駆動電極４Ａ〜４Ｄに印加される電圧信号列の例を示したタイミングチャートである。このうち、図３（ａ）は駆動電極４Ａ、図３（ｂ）は駆動電極４Ｂ、図３（ｃ）は駆動電極４Ｃ、図３（ｄ）は駆動電極４Ｄのタイミングチャートである。
【００３０】
尚、駆動電極４Ａ〜４Ｄの電圧の状態は、時間ｔ１〜ｔ４の４つの状態が、時間経過に対応して繰り返して変化するものである。
【００３１】
図４（ａ）〜（ｄ）は、上述したエレクトレットシャッタ７の動作を説明する図である。尚、図４（ａ）〜（ｄ）に於いて、同図右側方向をエレクトレットの進行方向として、後方側（左側）に正極（プラス）のエレクトレット（エレクトレット化部位）５ａ、前方側（右側）に負極（マイナス）のエレクトレット（エレクトレット化部位）５ｂが配列されているものとする。
【００３２】
図４（ａ）は、図３に示される時間ｔ１に切り替わった直後のエレクトレットと駆動電極４の電圧の状態（極性）を示している。
【００３３】
この状態に於いて、正極のエレクトレット５ａは、駆動電極Ａ（正極）から反発力を受け、駆動電極Ｂ（負極）から吸引力を受ける。また、負極のエレクトレット５ｂは、駆動電極Ｃ（負極）から反発力を受け、駆動電極Ｄ（正極）から吸引力を受ける。このため、移動子２は、図４（ａ）の右方向に力を受けて、１つの駆動電極ピッチｄ分右方向に移動する。
【００３４】
図４（ｂ）は、時間ｔ２に切り替わった直後のエレクトレットと駆動電極の電圧の状態を示している。
【００３５】
この状態に於いて、エレクトレット５ａは、駆動電極Ｂ（正極）から反発力を受け、駆動電極Ｃ（負極）から吸引力を受ける。また、エレクトレット５ｂは、駆動電極Ｄ（負極）から反発力を受け、駆動電極Ａ（正極）から吸引力を受ける。このため、移動子２は、図４（ｂ）の右方向に力を受けて、１つの駆動電極ピッチｄ分移動する。
【００３６】
同様に、図４（ｃ）は、時間ｔ３に切り替わった直後のエレクトレットと駆動電極の電圧の状態を示している。
【００３７】
この状態に於いて、エレクトレット５ａは、駆動電極Ｃ（正極）から反発力を受け、駆動電極Ｄ（負極）から吸引力を受ける。また、エレクトレット５ｂは、更に別の駆動電極Ａ（負極）から反発力を受け、駆動電極Ｂ（正極）から吸引力を受ける。このため、移動子２は、図４（ｃ）の右方向に力を受けて、１つの駆動電極ピッチｄ分移動する。
【００３８】
更に、図４（ｄ）は、時間ｔ４に切り替わった直後のエレクトレットと駆動電極の電圧の状態を示している。
【００３９】
この状態に於いて、エレクトレット５ａは、駆動電極Ｄ（正極）から反発力を受け、駆動電極Ａ（負極）から吸引力を受ける。また、エレクトレット５ｂは、駆動電極Ｂ（負極）から反発力を受け、駆動電極Ｃ（正極）から吸引力を受ける。このため、移動子２は、図４（ｄ）の右方向に力を受けて、１つの駆動電極ピッチｄ分移動する。
【００４０】
上述したように、移動子２は１つの駆動電極ピッチｄ移動し、この動作が繰り返されることで、移動子２は図４（ａ）→（ｂ）→（ｃ）→（ｄ）のように右方向（図示矢印Ｆ方向）に移動する。尚、移動子２を図の左方向に移動するためには、駆動電極４に印加する電圧の極性を逆に切り替えれば良い。
【００４１】
次に、本発明の実施形態について説明する。
【００４２】
図５は本発明に係る一実施形態のフォーカルプレーンシャッタ装置が適用された撮像モジュールの構成を示す組立図であり、図６は図５の構成の撮像モジュールが組み立てられた状態の構成を示した断面図である。
【００４３】
本撮像モジュール２０は、シャッタユニット２１と、撮像ユニット２２とで構成されている。上記シャッタユニット２１は、それぞれ独立して走行する先幕（シャッタ先幕）２５ａと、後幕（シャッタ後幕）２５ｂとを有するフォーカルプレーンシャッタである。この先幕２５ａ、後幕２５ｂは、上述したエレクトレット５（図示せず）を備えている。そして、それぞれのエレクトレット５の対向面側には、複数の帯状の延出された電極部材である駆動電極（第１の駆動電極部位、第２の駆動電極部位）２８ａ、２８ｂと、開口部（または透過部）２７ａ、２７ｂが設けられた固定子（固定部材）２９ａ、２９ｂが配設されている。
【００４４】
上記先幕２５ａ、後幕２５ｂは、それぞれ固定子２９ａ、２９ｂの長手方向に対して、移動自在に構成されている。そして、上記複数の電極２８ａ、２８ｂは、上記固定子２９ａ、２９ｂ上で、上記先幕２５ａ、後幕２５ｂの移動方向と直交する方向に所定の間隔で並設されている。
【００４５】
更に、シャッタユニット２１の被写体側（図５、図６に於いて左側）には、開口部（透光部）３１を有する保護部材３２が、スペーサ３３〜３６を介して、シャッタユニット２１の前面を覆うように固設されている。ここで、固定子２９ａ、２９ｂは、ガラス等を基板として構成されており、その表面に駆動電極２８ａ、２８ｂが形成され、更に駆動電極２８ａ、２８ｂ上に絶縁膜（図示せず）が設けられている。この絶縁膜が施されることにより、隣接する駆動電極間の短絡を防止している。
【００４６】
一方、先幕２５ａ、後幕２５ｂは、ポリイミドやテフロン（登録商標）が基材として用いられており、アルミニウム等の金属が蒸着されている。これにより、完全ではないものの、ある程度の遮光性を確保することができる。本実施形態に於いては、このような特性を半透光性と称するものとする。
【００４７】
そして、これら先幕２５ａ、後幕２５ｂとして使用される基材（フィルム膜）の一方の面、この場合駆動電極２８ａ、２８ｂと対向する面側には、コロナ放電法により複数のエレクトレットが形成されている（これをエレクトレット化するという）。本実施形態に於いては、正負の極性を有するエレクトレット部位が交互に配置されている（例えば、図４のエレクトレット５ａ、５ｂ参照）。
【００４８】
撮像ユニット２２は樹脂等により構成されるもので、収納容器３９内に撮像素子４０と信号線４１を収容して固定し、収納容器３９の被写体側を開口部（透光部）を有するカバーガラス４２で覆って構成している。
【００４９】
尚、カバーガラス４２に設けられた開口部は、上述した固定子２９ａ、２９ｂの開口部２７ａ、２７ｂ、保護部材３２に設けられた開口部３１と対応する位置に設けられている。これにより、開口部３１より取り込まれた被写体光が光電変換素子である撮像素子（撮像手段）４０に導かれ、この撮像素子４０により当該被写体の像が光電変換される。
【００５０】
このように、本撮像モジュール２０は、エレクトレットシャッタを用いてシャッタユニット２１を構成しているため、その厚さを従来のシャッタユニットと比較して大幅に減少することができ、薄型化することができる。
【００５１】
また、エレクトレットシャッタは、先幕２５ａ、後幕２５ｂに誘導される電荷を利用するのではなく、エレクトレットに永久分極されている電荷を利用するため、幕の立ち上がり時間を短縮してシャッタ動作を高速化することができる。
【００５２】
加えて、エレクトレットの電荷量は任意に与えることが可能であることから、駆動力が最大となるような最適の電荷量を与えることができ、極めて大きな駆動力を得ることができる。したがって、撮像モジュールのサイズに応じた最適なシャッタユニット２１を構成することができる。
【００５３】
更に、先幕２５ａ、後幕２５ｂは素材として樹脂材料を用いることができるため、軽量である。例えば、先幕２５ａ、後幕２５ｂは、１０〜２０μｍの薄い膜で形成することが可能である。それ故、動作に必要な電力量は少なく、且つ静かな動作を実現することができる。
【００５４】
図７は、先幕２５ａ、後幕２５ｂの動作を説明する図である。
【００５５】
図７（ａ）は初期状態を示すもので、露光開口２７は全閉状態となっている。すなわち、先幕２５ａによって露光開口２７の全体が覆われており、図示されない撮像ユニット２２に対して被写体光が遮蔽される。
【００５６】
次に、撮像動作の開始指示に応じて、図７（ｂ）に示されるように、先幕２５ａが図示矢印Ｆ1 方向に駆動されて露光開口２７は全開状態となる。これにより、被写体光が図示されない撮像ユニット２２に導かれる。
【００５７】
また、スリット露光時は、図７（ｃ）に示されるように、先幕２５ａが図示矢印Ｆ2 方向に駆動されると、所定時間をおいて後幕２５ｂが先幕２５ａに追従して図示矢印Ｆ3 方向に駆動される。この先幕２５ａと後幕２５ｂとの間に形成されるスリットは、そのときのシャッタ秒時に対応する。そして、上記先幕２５ａと後幕２５ｂで形成されたスリットが露光開口２７上を通過することにより、移動するスリットを介して、被写体光が図示されない撮像ユニット２２に導かれる。
【００５８】
図７（ｂ）或いは（ｃ）の状態から所定時間が経過したときに、図７（ｄ）に示されるように、後幕２５ｂが図示矢印Ｆ4 方向に駆動されて露光開口２７が遮蔽される。その後、先幕２５ａと後幕２５ｂは、図７（ａ）に示される初期状態に復帰し、次の撮像動作に備えて待機する。
【００５９】
図８は、本発明に係る一実施形態のデジタル一眼レフカメラとストロボ装置で構成されるカメラシステムの機能ブロック図である。
【００６０】
図８に於いて、このカメラシステムは、カメラ本体５０とストロボ装置６０とにより構成される。
【００６１】
上記カメラ本体５０は、該カメラ全体の制御を司るカメラ制御部５１と、シャッタユニット２１と、該シャッタユニット２１以外の他のカメラユニット５２とを有している。
【００６２】
シャッタユニット２１は、パルス発生回路５４と、駆動回路５５と、フォーカルプレーンシャッタ５６と、出力回路５８とを有している。そして、フォーカルプレーンシャッタ５６は、上述したシャッタ先幕２５ａ及び後幕２５ｂと、これら先幕２５ａ及び後幕２５ｂを駆動するための静電アクチュエータ５７を有して構成される。
【００６３】
カメラ制御部５１からの制御信号に応じて、パルス発生回路５４より第１のパルス信号が出力される。すると、駆動回路５５では、この第１のパルス信号を受けて、静電アクチュエータ５７を駆動すべく第２のパルス信号を出力する。すると、静電アクチュエータ５７の動きに従って、先幕２５ａ及び後幕２５ｂが駆動されて、上述した図７（ａ）〜（ｄ）に示されたような露光が行われる。
【００６４】
一方、パルス発生回路５４からは、第１のパルス信号が駆動回路５５に供給されると共に、出力回路５８にも供給される。そして、この出力回路５８から第３のパルス信号がストロボの発光開始信号として、カメラ本体５０の外部のストロボ装置６０に供給される。これにより、フォーカルプレーンシャッタ５６と同期したストロボ発光が可能になる。
【００６５】
図９は、本発明の一実施形態に係るデジタル一眼レフカメラの電気系のシステム構成を示すブロック図である。
【００６６】
図９に於いて、このカメラシステムは、ボディユニット６５と、アクセサリ装置として、例えば交換可能なレンズユニット（すなわちレンズ鏡筒）６６と、通信コネクタ７１を介して撮影した画像データを記録しておく記録メディア６７と、ストロボ通信コネクタ７２を介して外付けのストロボユニット６８とを有して構成されている。
【００６７】
上記レンズユニット６６は、上記ボディユニット６５の前面に設けられた、図示されないレンズマウントを介して着脱自在に装着可能である。そして、上記レンズユニット６６は、撮影レンズ７５ａ及び７５ｂと、絞り７６と、レンズ駆動機構７７と、絞り駆動機構７８と、レンズ制御用マイクロコンピュータ（以下、Ｌμｃｏｍと略記する）８０とから構成されている。
【００６８】
上記撮影レンズ７５ａ及び７５ｂは、レンズ駆動機構７７内に存在する図示されないＤＣモータによって、光軸方向に駆動される。絞り７６は、絞り駆動機構７８内に存在する図示されないステッピングモータによって駆動される。また、Ｌμｃｏｍ８０は、上記レンズ駆動機構７７や絞り駆動機構７８等、レンズユニット６６内の各部を駆動制御する。このＬμｃｏｍ８０は、通信コネクタ７０を介して、後述するボディ制御用マイクロコンピュータ１００と電気的に接続がなされ、該ボディ制御用マイクロコンピュータ１００の指令に従って制御される。
【００６９】
一方、ボディユニット６５は、以下のように構成されている。
【００７０】
レンズユニット６６内の撮影レンズ７５ａ及び７５ｂ、絞り７６を介して入射される図示されない被写体からの光束は、クイックリターンミラー８３で反射されて、フォーカシングスクリーン８４、ペンタプリズム８５を介して接眼レンズ８６に至る。
【００７１】
上記クイックリターンミラー８３の中央部はハーフミラーになっており、該クイックリターンミラー８３がダウン（図示の位置）した際に一部の光束が透過する。そして、この透過した光束は、クイックリターンミラー８３に設置されたサブミラー９０で反射され、自動測距を行うためのＡＦセンサユニット９１に導かれる。尚、上記クイックリターンミラー８３のアップ時には、サブミラー９０は折り畳まれるようになっている。
【００７２】
上記クイックリターンミラー８３の後方には、光軸上のフォーカルプレーン式のシャッタユニット２１と、光学系を通過した被写体像を光電変換するための撮像素子（ＣＣＤ）４０を収容した撮像ユニット２２とを備えた撮像モジュール２０が設けられている。図示されないが、クイックリターンミラー８３が光路より退避した場合、撮影レンズ７５ａ及び７５ｂを通った光束は、撮像モジュール２０内の撮像素子４０（図５及び図６参照）に結像される。
【００７３】
このボディユニット６５は、また、上記撮像モジュール２０内の撮像素子４０に接続された撮像素子インターフェイス回路９５と、記憶領域として設けられたＳＤＲＡＭ９７と、液晶モニタ９８及び上記通信コネクタ７１を介して記録メディア６７とが、画像処理を行うための画像処理コントローラ９６に接続されている。これらは、電子撮像機能と共に電子記録表示機能を提供できるように構成されている。
【００７４】
上記記録メディア６７は、各種のメモリカードや外付けのハードディスクドライブ（ＨＤＤ）等の外部記録媒体であり、通信コネクタ７１を介してカメラのボディユニット６５と通信可能、且つ交換可能に装着される。
【００７５】
上記画像処理コントローラ９６は、通信コネクタ７０と、測光回路１０１と、ミラー駆動機構１０２と、ＡＦセンサ駆動回路１０３と、駆動手段であるシャッタ駆動制御回路１０４と、不揮発性メモリ（ＥＥＰＲＯＭ）１０７等と共に、このボディユニット６５内の各部を制御するためのボディ制御用マイクロコンピュータ（以下、Ｂμｃｏｍと略記する）１００に接続されている。
【００７６】
上記Ｂμｃｏｍ１００には、当該カメラの動作状態を表示出力によって撮影者へ告知するための動作表示用ＬＣＤ１０８と、カメラ操作スイッチ（ＳＷ）１０９と、電源回路１１０を介して電池１１１とが接続されている。
【００７７】
尚、上記Ｂμｃｏｍ１００とＬμｃｏｍ８０とは、レンズユニット６６の装着時に於いて、通信コネクタ７０を介して通信可能に電気的接続がなされる。そして、デジタルカメラとしてＬμｃｏｍ８０がＢμｃｏｍ１００に従属的に協働しながら稼動するようになっている。
【００７８】
上記測光回路１０１は、上記ペンタプリズム８５からの光束に基づいて測光処理する回路である。上記ミラー駆動機構１０２はクイックリターンミラー８３を駆動制御する機構であり、ＡＦセンサ駆動回路１０３は上記ＡＦセンサユニット９１を駆動制御するための回路である。また、シャッタ駆動制御回路９０は、上記シャッタユニット２１の先幕２５ａと後幕２５ｂの動きを制御すると共に、Ｂμｃｏｍ１００との間でシャッタの開閉動作を制御する信号とストロボと同調する信号の授受を行う。
【００７９】
不揮発性メモリ１０７は、その他の記憶領域として、カメラ制御に必要な所定の制御パラメータを記憶する記憶手段であり、Ｂμｃｏｍ１００からアクセス可能に設けられている。
【００８０】
動作表示用ＬＣＤ１０８は、当該カメラの動作状態を表示出力によって撮影者へ告知するためのものである。上記カメラ操作スイッチ１０９は、例えば撮影動作の実行を指示するレリーズスイッチ、撮影モードと画像表示モードを切り替えるモード変更スイッチ及びパワースイッチ等、当該カメラを操作するために必要な操作釦を含むスイッチ群で構成される。
【００８１】
更に、電源回路１１０は、電源としての電池１１１の電圧ＶE を、当該カメラシステムの各回路ユニットが必要とする電圧ＶC に変換して供給するために設けられている。
【００８２】
ストロボユニット６８は、ストロボ制御用マイクロコンピュータ１１５と、閃光発光部１１６と、発光制御回路１１７及び電池１１８とから成っている。そして、このストロボユニット６８は、ストロボ通信コネクタ７２を介して、ボディユニット５０と通信可能に装着可能である。また、上記ストロボ制御用マイクロコンピュータ１１５及び発光制御回路１１７へは、シャッタ駆動制御回路１０４から、ストロボ通信コネクタ７２を介して、閃光発光信号、フラット発光信号が切り替えられて出力されるようになっている。これらの発光信号は、発光モードに応じて出力される。
【００８３】
このように構成されたデジタルカメラの各部は、次のように稼動する。
【００８４】
先ず、画像処理コントローラ９６により、Ｂμｃｏｍ１００の指令に従って撮像素子インターフェイス回路９５が制御されて、撮像モジュール２０から画像データが取り込まれる。この画像データは、一時保管用メモリであるＳＤＲＡＭ９７に取り込まれる。このＳＤＲＡＭ９７は、画像データが変換される際のワークエリア等に使用される。また、この画像データは、ＪＰＥＧデータに変換された後には、記録メディア６７に保管されるように設定されている。
【００８５】
ミラー駆動機構１０２は、上述したように、クイックリターンミラー８３をアップ（ＵＰ）位置とダウン（ＤＯＷＮ）位置へ駆動するための機構である。ミラー駆動機構１０２によってクイックリターンミラー８３がダウン位置にある時、撮影レンズ７５ａ及び７５ｂからの光束は、ＡＦセンサユニット９１側とペンタプリズム８５側へと分割されて導かれる。
【００８６】
ＡＦセンサユニット９１内のＡＦセンサからの出力は、ＡＦセンサ駆動回路１０３を介してＢμｃｏｍ１００へ送信されて、周知の測距処理が行われる。
【００８７】
一方、ペンタプリズム８５に隣接する接眼レンズ８６からは、撮影者が被写体を目視できる。また、上記ペンタプリズム８５を通過した光束の一部は、測光回路１０１内のホトセンサ（図示せず）へ導かれ、ここで検知された光量に基づいて周知の測光処理が行われる。
【００８８】
シャッタ駆動制御回路１０４では、Ｂμｃｏｍ１００からシャッタを駆動制御するための信号が受取られると、その信号に基づいてシャッタユニット２１が制御される。シャッタ駆動制御回路１０４では、Ｂμｃｏｍ１００からシャッタを駆動制御するための信号が受取られると、その信号に基づいてシャッタユニット２１が制御される。それと共に、シャッタ駆動制御回路１０４から、所定のタイミングでストロボ通信コネクタ７２を介してストロボ制御用マイクロコンピュータ１１５及び発光制御回路１１７に、ストロボを発光させるための発光信号が出力される。Ｂμｃｏｍ１００からは、上記発光信号に基づいて、通信により発光モードに応じた発光指令信号が出力される。
【００８９】
また、撮影者によって上述したカメラ操作スイッチ１０９の中のモード変更スイッチが操作されて、撮影モードから画像表示モードへ切り換えられると、記録メディア６７に保管された画像データが読み出されて、液晶モニタ９８に表示可能である。記録メディア６７から読み出された画像データは、画像処理コントローラ９６に於いてビデオ信号に変換され、液晶モニタ９８にて出力表示される。
【００９０】
図１０は、上述したシャッタ駆動制御回路１０４及びシャッタユニット２１との信号接続を示す構成図である。
【００９１】
シャッタユニット２１には、上述したように、先幕２５ａと後幕２５ｂが備えられており、そのそれぞれの幕を駆動するために、シャッタ駆動回路１０４には、駆動回路５５と、それぞれ先幕２５ａ及び後幕２５ｂ用の駆動回路１２９及び１３０が設けられている。
【００９２】
駆動回路５５は、制御回路１２１と、パルス発生回路１２２と、エッジ検出回路１２３と、２系統のゲート回路１２５及び１２６とを有して構成される。また、駆動回路１２９は、位相器Ａ１３１ａ、位相器Ｂ１３１ｂと、昇圧器１３２ａ、１３２ｂとを有して構成される。同様に、駆動回路１３０は、位相器Ｃ１３３ａ、位相器Ｄ１３３ｂと、昇圧器１３４ａ、１３４ｂとを有して構成される。
【００９３】
尚、位相器Ｂ１３１ｂ、位相器Ｄ１３３ｂは、それぞれ位相器Ａ１３１ａ、位相器Ｃ１３３ａに対して、９０°位相をシフトした出力を供給するものである。
【００９４】
制御回路１２１は、Ｂμｃｏｍ１００からの開閉制御信号（若しくはリセット信号）に基づいて先幕２５ａと後幕２５ｂを駆動するべく、パルス発生回路１２２からパルス信号を出力させる。このパルス信号は、上述した第１のパルス信号として、ゲート回路１２５を介して位相器Ａ１３１ａ、位相器Ｂ１３１ｂへ、またゲート回路１２６を介して位相器Ｃ１３３ａ、位相器Ｄ１３３ｂへ出力される。それと共に、上記第１のパルス信号は、エッジ検出回路１２３を介して、ストロボユニット６８へ、フラット発光信号として出力される。尚、制御回路１２１からは、閃光発光信号がストロボユニット６８へ出力される。
【００９５】
上記昇圧器１３２ａ及び１３２ｂ、昇圧器１３４ａ及び１３４ｂからの出力である第２のパルス信号は、それぞれ固定子２９ａ及び２９ｂ上に配設された駆動電極２８ａ及び２８ｂに供給される。これにより、先幕２５ａ、後幕２５ｂに設けられた永久分極された誘導体（エレクトレット）２６ａ、２６ｂが、駆動電極２８ａ、２８ｂのＡ〜Ｄに順次吸引され、先幕２５ａと後幕２５ｂが駆動される。こうして、図７に示される露光開口２７の開閉動作が制御される。
【００９６】
次に、図１１のタイミングチャートを参照して、図１０に示される各部の動作について説明する。
【００９７】
まず、Ｂμｃｏｍ１００から開閉制御信号（ａ）が駆動回路５５内の制御回路１２１に出力される。ここで、先幕２５ａと後幕２５ｂとの間隔として形成されるスリットが、露光秒時となる。そして、上記開閉制御信号（ａ）を受けて、制御回路１２１からパルス発生回路１２２に対して、パルス発生回路動作指示信号（ｂ）が出力される。すると、パルス発生回路１２２からは、第１のパルス信号として、パルス発生回路出力信号（ｃ）が出力される。
【００９８】
このパルス発生回路出力信号（ｃ）により、エッジ検出回路１２３にてエッジが検出され、フラット発光信号（ｋ）が出力される。また、上記開閉制御信号（ａ）の立ち上がり、及び立ち下がりに伴って、先幕用ゲート制御信号（ｄ）、後幕用ゲート制御信号（ｅ）により、ゲート回路１２５、１２６がオンされる。
【００９９】
そして、ゲート回路１２５がオンされたことにより、位相器Ａ１３１ａ、位相器Ｂ１３１ｂから、互いに９０°位相がシフトされた位相器Ａ出力（ｇ）、位相器Ｂ出力（ｈ）が出力される。同様に、ゲート回路１２６がオンされたことにより、位相器Ｃ１３３ａ、位相器Ｄ１３３ｂから、互いに９０°位相がシフトされた位相器Ｃ出力（ｉ）、位相器Ｄ出力（ｊ）が出力される。
【０１００】
図１２は、ストロボユニット６８の電気系の構成を示した図である。
【０１０１】
図１２に於いて、ストロボ制御用マイクロコンピュータ１１５には、ボディユニット６５内のＢμｃｏｍ１００から発光モード指示信号が入力されると共に、シャッタ駆動制御回路１０４から閃光発光信号及びフラット発光信号（ｋ）が入力される。
【０１０２】
上記ストロボ制御用マイクロコンピュータ１１５には、安定化回路１４０、波形成型回路１４１、ダイオード１４７が接続された昇圧回路１４２、トリガ回路１４３、切換スイッチ（ＳＷ）１４４、電源１４６、メインコンデンサ１４８及びキセノン（Ｘｅ）管１５０とＩＧＢＴ１５１の直列回路が接続されている。
【０１０３】
このような構成に於いて、キセノン管１５０への発光電流は、メインコンデンサ１４８によって供給される。昇圧回路１４２を介して電源１４６からの電圧が昇圧されると、ダイオード１４７を経てメインコンデンサ１４８が充電される。そして、メインコンデンサ１４８が充電された状態で、ＩＧＢＴ１５１がオンされ、トリガ回路１４３からのトリガ信号がキセノン管１５０に与えられる。すると、メインコンデンサ１４８に蓄積されていた電荷が放出されて、キセノン管１５０が発光する。
【０１０４】
閃光発光時は、閃光発光信号がストロボ制御用マイクロコンピュータ１１５を介してトリガ回路１４３に供給される。すなわち、シャッタ駆動制御回路１０４から閃光発光信号が出力されたときのみ、キセノン管１５０は発光する。そして、ＩＧＢＴ１５１がオフになるとキセノン管１５０の発光が停止される。
【０１０５】
一方、フラット発光信号の場合は、ＩＧＢＴ１５１がオンされて、トリガ回路１４３がオンにされると、メインコンデンサ１４８から放電電流が流れ、キセノン管１５０が発光する。そして、所定時間経過した時点でＩＧＢＴ１５１がオフにされる。すると、キセノン管１５０の発光は停止されるが、短時間内でＩＧＢＴ１５１が再度オンされると、トリガをかけなくともキセノン管１５０が発光する。これは、以下の理由による。
【０１０６】
すなわち、トリガ回路１４３によってキセノン管１５０にトリガ電圧が印加されると、該キセノン管１５０内のガスがイオン化される。このイオン化されたガスのイオンが消滅するまでの時間は、消イオン時間と称される。そして、この消イオン時間よりも短い時間内であれば、再度トリガをかけなくても、ＩＧＢＴ１５１をオン／オフさせるだけで、微小発光を繰り返すことができる。例えば、キセノンガスが封入されたキセノン管１５０の場合は、イオン化されている時間は数μＳ〜数百μＳとなる。
【０１０７】
上述した発光モードの選択は、発光モード指示信号に応じて、ストロボ制御用マイクロコンピュータ１１５が切換スイッチ１４４を切換える。通常は、ＩＧＢＴ１５１がグランドに接続されるようになっており、該ＩＧＢＴ１５１がオフとなり、閃光発光は行われない状態である。
【０１０８】
閃光発光モードの場合は、切換スイッチ１４４によって閃光発光制御信号（ｎ）が得られ、閃光発光信号はストロボ制御用マイクロコンピュータ１１５を介してトリガ回路１４３に供給される。
【０１０９】
フラット発光モードの場合は、切換スイッチ１４４によってフラット発光制御信号（ｍ）が得られる。これにより、フラット発光信号（ｋ）は、波形成型回路１４１に供給される。
【０１１０】
図１３のタイミングチャートを参照すると、シャッタ駆動制御回路１０４からフラット発光信号（ｋ）が供給されると、波形成型回路１４１にて、フラット発光制御信号（ｍ）の微小発光時間が決定される。すなわち、上記フラット発光信号（ｋ）を基に、ＩＧＢＴ１５１のオン／オフ時間が設定される。すると、フラット発光制御信号（ｋ）のハイ／ローのレベルに対応してＩＧＢＴ１５１のオン／オフ時間が得られる。このＩＧＢＴ１５１のオン／オフ時間に従って、キセノン管１５０の連続発光が行われる。
【０１１１】
図１３に示される発光波形では、フラット発光制御信号（ｋ）のハイレベル時に明るく発光し、フラット発光制御信号（ｋ）のローレベル時にやや暗く発光することがわかる。そして、この２つの状態が繰り返されることにより、全体として、連続したフラット発光が行われることになる。
【０１１２】
例えば、１７．３ｍｍ×１３．０ｍｍの撮像素子に対して、長手方向に走行するフォーカルプレーンシャッタを考慮すると、このシャッタの最高速秒時を１／８０００、シンクロ秒時を１／２５０とする。ストロボ発光時間を０．９ｍＳと仮定すると、シンクロ秒時が１／２５０であるためには、先幕走行時間は３．０１ｍＳになり、幕速は５．７６ｍｍ／ｍＳである。また、最高速秒時が１／８０００であるためには、先幕に対して後幕が０．１２２ｍＳ遅れて走行を開始しなければならない。
【０１１３】
したがって、幕速５．７６ｍｍ／ｍＳの先幕が０．１２２ｍＳ走行した場合の走行距離は、０．７０３ｍｍである。つまり、静電シャッタ装置の電極幅を０．７０３ｍｍに設定し、後幕に対して先幕を１ピッチ分だけ先に走行させれば、１／８０００のシャッタ秒時が得られることになる。
【０１１４】
ここで、この静電シャッタに於いて、フラット発光を行う場合について考える。
【０１１５】
フラット発光を行う場合、あるポイントに於ける有効露光時間内に複数回の発光が行われなければ、撮影した画像に露光ムラが発生する虞れがある。したがって、駆動パルスよりも発光パルスのオン／オフの回数を多く（少なくとも２回）すれば、フラット発光による露光ムラを防止することができる。
【０１１６】
また、図１０に示される位相器Ａ１３１ａ、位相器Ｂ１３１ｂ、位相器Ｃ１３３ａ、位相器Ｄ１３３ｂの前段に分周回路を設ければ、２倍に限らず、４倍或いはそれ以上の高周波のパルスをフラット発光用の信号とすることができる。これにより、上述した実施形態よりも露光ムラを防止することが可能となる。
【０１１７】
以上、本発明の実施形態について説明したが、本発明は上述した実施形態以外にも、本発明の要旨を逸脱しない範囲で種々の変形実施が可能である。
【図面の簡単な説明】
【０１１８】
【図１】本発明に係る静電シャッタ装置の駆動原理について説明する図である。
【図２】エレクトレットシャッタの断面を模式的に示すと共に該エレクトレットシャッタの駆動回路を示した図である。
【図３】図２の駆動回路１０によって作成されて、駆動電極４Ａ〜４Ｄに印加される電圧信号列の例を示したもので、（ａ）は駆動電極４Ａ、（ｂ）は駆動電極４Ｂ、（ｃ）は駆動電極４Ｃ、（ｄ）は駆動電極４Ｄのタイミングチャートである。
【図４】図２に示されるエレクトレットシャッタ７の動作を説明する図である。
【図５】本発明に係る一実施形態のフォーカルプレーンシャッタ装置が適用された撮像モジュールの構成を示す組立図である。
【図６】図５の構成の撮像モジュールが組み立てられた状態の構成を示した断面図である。
【図７】先幕２５ａ、後幕２５ｂの動作を説明する図である。
【図８】本発明に係る一実施形態のデジタル一眼レフカメラとストロボ装置で構成されるカメラシステムの機能ブロック図である。
【図９】本発明の一実施形態に係るデジタル一眼レフカメラの電気系のシステム構成を示すブロック図である。
【図１０】シャッタ駆動制御回路１０４及びシャッタユニット２１との信号接続を示す構成図である。
【図１１】図１０に示される各部の動作について説明するタイミングチャートである。
【図１２】ストロボユニット６８の電気系の構成を示した図である。
【図１３】フラット発光の動作を説明するタイミングチャートである。
【符号の説明】
【０１１９】
１、２９ａ、２９ｂ…固定子、２…移動子、３、２７ａ、２７ｂ、３１…開口部、４、４Ａ〜４Ｄ、２８ａ、２８ｂ…駆動電極、５、５ａ、５ｂ、２６ａ、２６ｂ…永久分極された誘導体（エレクトレット）、７…エレクトレットシャッタ、１０…駆動回路、１２…パルス発生回路、１３…位相器、１４…昇圧回路、２０…撮像モジュール、２１…シャッタユニット、２２…撮像ユニット、２５ａ…先幕、２５ｂ…後幕、２７…露光開口、３２…保護部材、３３〜３６…スペーサ、３９…収納容器、４０…撮像素子、５０…カメラ本体、５１…カメラ制御部、５４…パルス発生回路、５５…駆動回路、５６…フォーカルプレーンシャッタ、５７…静電アクチュエータ、５８…出力回路、６０…ストロボ装置、６５…ボディユニット、６６…レンズユニット、６７…記録メディア、６８…ストロボユニット、７５ａ、７５ｂ…撮影レンズ、７６…絞り、８０…レンズ制御用マイクロコンピュータ（Ｌμｃｏｍ）、８３…クイックリターンミラー、９１…ＡＦセンサユニット、９５…撮像素子インターフェイス回路、９６…画像処理コントローラ、１００…ボディ制御用マイクロコンピュータ（Ｂμｃｏｍ）、１０４…シャッタ駆動制御回路、１０９…カメラ操作スイッチ（ＳＷ）、１１０…電源回路、１１５…ストロボ制御用マイクロコンピュータ、１１６…閃光発光部、１１７…発光制御回路、１１８…電池。
【図１】
2006023357.tif 000003
【図２】
2006023357.tif 000004
【図３】
2006023357.tif 000005
【図４】
2006023357.tif 000006
【図５】
2006023357.tif 000007
【図６】
2006023357.tif 000008
【図７】
2006023357.tif 000009
【図８】
2006023357.tif 000010
【図９】
2006023357.tif 000011
【図１０】
2006023357.tif 000012
【図１１】
2006023357.tif 000013
【図１２】
2006023357.tif 000014
【図１３】
2006023357.tif 000015